(57)【特許請求の範囲】
【請求項１】
細長い外管と、
前記外管内においてその長手方向に設けた複数の放電容器と、
前記外管の長手方向を軸として前記各放電容器の回りに巻回された複数の励起コイルと
を具備することを特徴とする無電極放電灯装置。
【請求項２】
前記外管をその長手方向中央部において２分し、前記２分された外管内に、その長手方向に沿ってそれぞれ複数の放電容器を交互に並列配置することを特徴とする請求項１記載の無電極放電灯装置。
【請求項３】
前記放電容器の外側にランプ最冷部温度を確保するための突起を形成したことを特徴とする請求項１記載の無電極放電灯装置。
【請求項４】
前記外管の長手方向に隣接する放電容器の間を保持具を介して連結すると共に、前記保持具により放電容器内の光を前記外管の外側に配光するよう構成したことを特徴とする請求項１記載の無電極放電灯装置。
【発明の詳細な説明】
【０００１】
【発明の属する技術分野】
本発明は、無電極放電灯装置に係り、特に励起コイルが巻回された無電極の放電容器を細長い外管内に配置し、紫外線の放射効果および殺菌効果を高めた無電極放電灯装置に関する。
【０００２】
【従来の技術】
従来、この種の無電極放電灯装置として、放電媒体が封入された直管型や円筒形の１つの放電容器の回りに、複数の励起コイルを巻回することにより、１つの放電容器内に複数のリング放電を発生させるように構成したものが提案されている（特開平１１−７３９２７号公報）。図１４は、前記提案に係る放電容器１を直管型として構成した無電極放電灯装置の要部構成を示すものである。しかるに、図１４において、放電容器１の回りには、放電容器１の長手方向を軸として、複数（図示例では４個）の励起コイルＬが巻回され、放電容器１と励起コイルＬは細長い外管２内に収納されている。また、放電容器１内に放電媒体としてＵＶ光を発するＨg 等が封入され、励起コイルＬにより放電容器１内の放電媒体がリング放電Ｒを形成して発生するＵＶ光により、外管２の外側に流れる水を殺菌することができる。
【０００３】
【発明が解決しようとする課題】
しかるに、この種の無電極放電灯装置は、放電容器１内に形成されるリング放電Ｒと励起コイルＬが平行であるという特徴を有している。このため、１つの放電容器１内に複数のリング放電Ｒを発生させても、リング放電Ｒのリング周方向の成分は、放電容器１外に放出されるので有効利用することができるが、図１４において矢印で示すリング面方向の成分は、放電容器１外に放出されることなく、このため有効利用することができないという問題点がある。
【０００４】
すなわち、例えばリング放電Ｒによって発生する紫外線（ＵＶ）が、プラズマ中を通過する際に、他のＨg 原子に衝突する場合がある。この場合、（１）基底状態のＨg 原子は、紫外線放出する電子軌道のＨg 原子となったり、（２）すでに励起状態のＨg 原子は、さらに外殻の電子軌道を有するＨg 原子へと変化したりすることがある。前記（１）については単にエネルギーの移し替えであるが、前記（２）についてはＨg 原子のイオン化のために紫外線のエネルギーが使われたことになる。従って、このイオン化のために要したエネルギーは、紫外線出力として回収することができず、紫外線が厚いプラズマ中を通る程、無電極紫外線ランプとしてのランプ効率は低下してしまうという難点がある。
【０００５】
また、紫外線（ＵＶ）光を発する無電極紫外線ランプの場合、一方のリング放電ＲによるＵＶ光は、他方のリング放電ＲによるＵＶ光により熱に変化するので、これを有効利用することができない難点がある。
【０００６】
また、この種の無電極放電灯装置は、１つの放電容器１を外管２内に封入することから、全体の長さが、その設置場所である流水管の形状により制限され、このため複数種類の長さのものを、予め準備しておかなければならないという問題点がある。なお、複数種類の長さのものを準備する場合、放電容器１の長さや励起コイルＬの個数、巻き数等が異なると、高周波点灯回路の定数も異なるので、多大な開発の手間を要し、製造コストも増大する難点がある。
【０００７】
そこで、本発明者等は、鋭意研究並びに検討を重ねた結果、細長い外管と、前記外管内においてその長手方向に設けた１つもしくは複数の放電容器と、前記外管の長手方向を軸として前記各放電容器の回りに巻回された１つもしくは複数の励起コイルとを具備する構成とすることにより、各放電容器内におけるリング放電のリング面方向の成分が、放電容器の壁外へ放出し易くなり、これを有効利用することができることを突き止めた。すなわち、リング放電によって発生する紫外線が、プラズマ中を通る距離が短くなるように励起コイルの面方向に薄くなるランプ形状に形成したり、励起コイルの面方向に複数のリング放電が平行に形成されないように構成することにより、励起コイルの面方向に放射される紫外線とプラズマのＨg 原子との衝突確率を低下させることができ、無電極紫外線ランプとしてのランプ効率を向上させることができる。
【０００８】
また、この場合、１組の放電容器および励起コイルに対して高周波回路を開発すれば、高周波回路を変更することなく、複数組の放電容器および励起コイルを連結して外管内に配置することができるため、設置場所に対する汎用性を向上させることができる。
【０００９】
さらに、前記複数の放電容器の各々の回りに、複数の励起コイルを巻回することにより、リング放電を有効に利用することができると共に、設置場所に対する汎用性を向上させることができ、また高周波点灯回路も１つの放電容器およびその回りの励起コイル毎に設けるのみでよいので、コストの低減を実現できることを突き止めた。
【００１０】
一方、外管をその長手方向中央部において２分し、前記２分された外管内に、その長手方向に沿ってそれぞれ複数の放電容器を交互に並列配置することにより、各放電容器間のＵＶ照射量は比較的少ない場合においても、外管全体で均一化することができ、流路に対して直角水平方向の配置ができると共に、ランプ効率を高めることができることを突き止めた。
【００１１】
また、前記無電極放電灯装置において、外管の長手方向に隣接する放電容器の間を保持具を介して連結すると共に、前記保持具により放電容器内の光を前記外管の外側に配光するよう構成することにより、リング放電を有効利用することができると共に、設置場所に対する汎用性を向上させることができ、さらに外管内の複数の放電容器および励起コイルの位置を安定化させることができることを突き止めた。
【００１２】
そして、前述した無電極放電灯装置において、外管内において放電容器の紫外線照射側とは反対側に反射笠を設け、この反射笠の一部に貫通孔を設けて励起コイルの給電配線としての導入線を貫通させ、前記放電容器とは反対側に導入線を配設した構成とすることにより、１つの外管内に設けた１つもしくは複数の放電容器からの出力光を有効に対象物に照射することができると共に、励起コイルの給電配線としての導入線を反射笠の裏面に配設することにより、製品美観を損なうことなく導入線の配線を行うとができることを突き止めた。
【００１３】
さらに、前記隣接する放電容器の間を保持具を介して連結すると共にこの保持具を前記外管に連結し、前記外管から前記保持具を経由して前記放電容器までの熱の伝達経路を形成するよう構成することにより、外管内の複数組の放電容器および励起コイルの位置を安定化させると共に、ランプ最冷部温度を適正に確保することができることを突き止めた。
【００１４】
さらにまた、外管の長手方向に近接する複数の放電容器間において、各放電容器間の光の強度が外管表面においてほぼ一定となるように、前記外管の一部に凹部を設けた構成とすることにより、前記放電容器間における出力光の強度低下を抑制することができ、リング放電を有効利用することができると共に、設置場所に対する汎用性を向上させることができることを突き止めた。
【００１５】
そして、前記各構成からなる無電極放電灯装置を殺菌対象の流体内に配置し、前記放電容器内の放電媒体が発する紫外線（ＵＶ）光により前記流体を殺菌するように構成すれば、前述したように、リング放電を有効利用することができると共に、設置場所に対する汎用性を向上させることができる殺菌装置を実現することができることを突き止めた。この場合、前記流体に対し、その流量等の必要紫外線（ＵＶ）光を決定すべき要素を検出するための検出センサを設け、この検出センサからの検出信号に基づき、各放電容器の点灯・消灯制御を行うよう構成することにより、必要最低限のＵＶ光の照射を行って、殺菌装置の省エネルギー化およびシステムの効率化を達成することができる。
【００１６】
従って、本発明の目的は、励起コイルが巻回された無電極の放電容器を、細長い外管内に配置した構造において、リング放電を有効に利用することができると共に、設置場所に対する汎用性を向上させることができる無電極放電灯装置を提供することにある。
【００１７】
【課題を解決するための手段】
前記の目的を達成するため、本発明に係る無電極放電灯装置は、細長い外管と、前記外管内においてその長手方向に設けた複数の放電容器と、前記外管の長手方向を軸として前記各放電容器の回りに巻回された複数の励起コイルとを具備することを特徴とする。
【００１９】
また、前記外管をその長手方向中央部において２分し、前記２分された外管内に、その長手方向に沿ってそれぞれ複数の放電容器を交互に並列配置した構成とすることができる。
【００２０】
一方、前記放電容器の外側にランプ最冷部温度を確保するための突起を形成することができる。
【００２３】
さらに、前記外管の長手方向に隣接する放電容器の間を保持具を介して連結すると共に、前記保持具により放電容器内の光を前記外管の外側に配光するよう構成することができる。
【００２４】
さらにまた、前記外管の長手方向に隣接する放電容器の間を保持具を介して連結すると共に、前記保持具により並列配置された放電容器の一方の放電容器側からの出力光を他方の放電容器側に行かないように遮蔽し、外管の外側に配光するよう構成することができる。
【００２９】
【発明の実施の形態】
次に、本発明に係る無電極放電灯装置および殺菌装置の実施例につき、添付図面を参照しながら、以下詳細に説明する。
【００３０】
【実施例１】
図１ないし図４は、本発明に係る無電極放電灯装置および殺菌装置の第１の実施例のそれぞれ構成例を示す概略構成図である。図１において、本実施例の無電極放電灯装置および殺菌装置は、４個の放電容器１−１〜１−４が、細長い外管２内に、それぞれその長手方向に配列された構成からなる。放電容器１−１〜１−４は、それぞれ比較的短い円筒形や球状で形成され、その内部には放電媒体としてＵＶ光を発するＨg 等が封入されている。また、放電容器１−１〜１−４の回りには、外管２の長手方向の軸としてそれぞれ励起コイルＬ−１〜Ｌ−４が巻回されている。励起コイルＬ−１〜Ｌ−４には、それぞれ給電配線としての導入線３が接続され、各導入線３は外管２の長手方向に沿って、外管２の端部から外側に引き出されて、それぞれ個々の高周波点灯装置（図示せず）に接続されている。
【００３１】
前記構成からなる本実施例の無電極放電灯装置および殺菌装置によれば、外管２の長手方向に複数の放電容器１−１〜１−４を配置したことにより、放電容器１−１〜１−４内の各アーク放電Ｒからの出力光を、外管２の長手方向に対向しても、斜め方向に放出させることができる。また、この場合、高周波点灯回路としては、放電容器１−１〜１−４毎の４系統で構成し得るので、複数種類のものを構成する場合には、１系統のみを開発して各放電容器を連結すれば良い。
【００３２】
図２は、本実施例における無電極放電灯装置および殺菌装置の変形例を示すものである。本実施例の無電極放電灯装置および殺菌装置では、放電容器の連結数が増加すると、高周波点灯回路の数も増加して、設備コストを無視することができなくなる。そこで、図２に示すように、１つの放電容器内で２つのリング放電Ｒを形成可能なように、放電容器１−１、１−２を長く形成し、その回りにそれぞれ２つの励起コイル（Ｌ−１、Ｌ−２）と（Ｌ−３、Ｌ−４）を巻回した構成からなる。
【００３３】
このように構成することにより、１つの放電容器１および２つの励起コイルＬ毎に高周波点灯回路を設けることにより、高周波点灯回路の設備コストを低減することができる。また、この場合にも、前記と同様に隣接する２つの放電容器１−１、１−２の間から、アーク放電Ｒからの出力光を外側に放出することができる。なお、図示しないが、本実施例における無電極放電灯装置および殺菌装置としては、１つの放電容器に１つの励起コイルを巻回配置した構成としたり、あるいは１つの放電容器に複数の励起コイルを巻回配置した構成とすることも可能であり、これらの構成においてもランプ効率を高めた無電極放電灯装置および殺菌装置を得ることができることは勿論である。
【００３４】
図３は、前記図２に示す実施例の変形例を示すものである。すなわち、図３において、隣接する２つの放電容器１−１、１−２は、相互に直接接触しないように保持具４を介して連結した構成からなる。保持具４は、導電性であって光沢面を有し、さらに隣接する２つの放電容器１−１、１−２の間の光を、外側に配光可能な形状を有している。このように構成することにより、隣接する２つの放電容器１−１、１−２の間の光を、保持具４によって外側に配光することができ、またこの保持具４を導電性部材により構成することにより、複数の励起コイルＬの電気的干渉を阻止することができる。
【００３５】
図４は、前記図３に示す実施例のさらに変形例を示すものである。すなわち、図４において、隣接する２つの放電容器１−１、１−２が、保持具４を介して連結され、さらに保持具４が外管２に連結された構成からなる。このように構成することにより、前記図３に示す構成により得られる効果に加えて、保持具４が外管２に連結されていることから、保持具４が位置ずれするのを防止することができると共に、外管２（およびその回りを流れる水）から保持具４を介して放電容器１−１、１−２に伝達される熱を利用して、放電容器１−１、１−２内にランプ最冷部温度を確保することができる。なお、図４において１点鎖線は従来例（図１４参照）において得られるＵＶ光を示し、また実線は本実施例の保持具４により得られるＵＶ光を示している。
【００３６】
【実施例２】
図５および図６は、本発明に係る無電極放電灯装置および殺菌装置の第２の実施例のそれぞれ構成例を示す概略構成図である。図５に示す実施例は、前記図１に示す構成と同様に、外管２内に４個の放電容器１−１〜１−４が同軸上に設けられ、その回りにはそれぞれ励起コイルＬ−１〜Ｌ−４が巻回され、さらに隣接する２つの放電容器１−１〜１−４の間には、図４に示す構成と同様に、それぞれ保持具４を介して連結されると共に、各保持具４が外管２に連結された構成からなる。このように構成することによっても、前述した図１および図４に示す構成例と同様の作用および効果を期待することができる。
【００３７】
図６は、前記図５に示す実施例の変形例を示すものである。すなわち、図６において、放電容器１−１〜１−４内のランプ最冷部温度は、保持具４ではなく、放電容器１−１〜１−４にそれぞれ突起５−１〜５−４を形成し、これらの突起により外管２からの伝熱（突起５−１、５−３の場合）や、外管２内の対流、輻射（突起５−２、５−４の場合）により確保することができるよう構成したものである。
【００３８】
【実施例３】
図７は、本発明に係る無電極放電灯装置および殺菌装置の第３の実施例の構成例を示す概略構成図である。図７において、本実施例の無電極放電灯装置および殺菌装置は、外管２内において、その長手方向に放電容器１−１を設け、前記外管２の長手方向を軸として前記放電容器１−１の回りに励起コイルＬ−１、Ｌ−２を巻回した構成からなり、前記放電容器１−１の紫外線照射側とは反対側に反射笠６を設け、この反射笠６の一部に１つもしくは複数の貫通孔８を設けて、励起コイルの給電配線としての導入線３を貫通させて、前記導入線３を前記放電容器１−１とは反対側に配設した構成からなる。このように構成することにより、１つの外管２内に設けた１つもしくは複数の放電容器１−１からの出力光を有効に対象物に照射することができると共に、励起コイルＬ−１、Ｌ−２の給電配線としての導入線３を反射笠６の裏面において、製品美観を損なうことなく容易に配線することができる。
【００３９】
【実施例４】
図８は、本発明に係る無電極放電灯装置および殺菌装置の第４の実施例の構成例を示す概略構成図である。図８において、本実施例の無電極放電灯装置および殺菌装置は、前記図７に示す第３の実施例において、外管２内に設けた反射笠６の側面部７の一部にも、貫通孔８を設け、前記貫通孔８を介してランプ最冷部温度を確保するための突起５−１を挿入ないし貫通する構成としたものである。その他の構成は、前記実施例３と同様であるので、同一の構成要素には同一の参照符号を付し、詳細な説明は省略する。このように構成することにより、１つの外管２内に複数の放電容器を設けた場合における、ランプ最冷部温度の確保を容易に行うことができると共に、ランプ発光効率を向上させることが可能となる。
【００４０】
【実施例５】
図９は、本発明に係る無電極放電灯装置および殺菌装置の第５の実施例の構成例を示す概略構成図である。図９において、本実施例の無電極放電灯装置および殺菌装置は、１つの外管２内に複数（図示例では３個）の放電容器１−１、１−２、１−３を並列配置し、これらの放電容器１−１、１−２、１−３にそれぞれ図示のように励起コイルＬ−１、Ｌ−２、Ｌ−３を巻回した構成とし、これらの放電容器１−１、１−２、１−３に対しそれぞれ独立した反射面部６ａ、６ｂ、６ｃを形成した反射笠６を、前記図７に示す第３の実施例と同様に設けたものである。また、本実施例においては、前記反射笠６の各反射面部６ａ、６ｂ、６ｃの一部に、それぞれ貫通孔８を設けて、これらの貫通孔８に各放電容器１−１、１−２、１−３のランプ最冷部温度を確保するための突起５−１、５−２、５−３を貫通させた構成からなる。従って、本実施例においては、放電容器からの出力光が励起コイルにより邪魔されないように、各放電容器に対し励起コイルを巻回することができると共に、各放電容器のランプ最冷部温度の確保を容易にして、ランプ発光効率をより一層向上させることができる。
【００４１】
【実施例６】
図１０は、本発明に係る無電極放電灯装置および殺菌装置の第６の実施例の構成例を示す概略構成図である。図１０において、本実施例の無電極放電灯装置および殺菌装置は、１つの外管２内に複数（図示例では２個）の放電容器１−１、１−２を並列配置し、これらの放電容器１−１、１−２にそれぞれ図示のように励起コイルＬ−１、Ｌ−２を巻回した構成とし、これらの放電容器１−１、１−２に対しそれぞれ独立した反射面部６ａ、６ｂを形成した反射笠６を、前記図９に示す第５の実施例と同様に設けたものである。また、本実施例においては、前記反射笠６の各反射面部６ａ、６ｂの一部に、それぞれ貫通孔部８を設けて、それぞれの貫通孔部８において、励起コイルの給電配線としての導入線３を貫通させると共に、各放電容器１−１、１−２のランプ最冷部温度を確保するための突起５−１、５−２を挿入させた構成からなる。従って、本実施例においては、放電容器からの出力光が励起コイルにより若干邪魔される構成となるが、反射笠６の反射面部６ａ、６ｂによって倍増させることが可能となると共に、各放電容器のランプ最冷部温度の確保を容易にして、ランプ発光効率をより一層向上させることができる。
【００４２】
【実施例７】
図１１の（ａ）、（ｂ）は、本発明に係る無電極放電灯装置および殺菌装置の第７の実施例の構成例を示す概略構成図である。図１１の（ａ）、（ｂ）において、本実施例の無電極放電灯装置および殺菌装置は、１つの外管２をその長手方向中央部において仕切板部９により２分し、この２分された外管２Ａ、２Ｂ内に、その長手方向に沿ってそれぞれ複数の放電容器１−１、１−３、１−５および１−２、１−４、１−６を交互に並列配置した構成からなる。そして、各放電容器には、それぞれ複数（図示例では３個）の励起コイルがそれぞれ巻回されている。また、本実施例においては、前記外管２Ａ、２Ｂの長手方向に隣接する放電容器の間をそれれぞれ保持具４を介して連結すると共に、前記保持具により並列配置された放電容器の一方の放電容器１−１、１−３、１−５側からの出力光が、他方の放電容器１−２、１−４、１−６側に行かないように遮蔽し、それぞれ外管２Ａ、２Ｂの外側に配光するようにした構成からなる。このように構成することにより、外管全体でのＵＶ照射量の均一化を達成できると共に、流路に大して直角水平方向の配置ができ、余分な出力を必要とせず、効率的な利用が可能となる。さらに、前記保持具により、放電容器内の光を外管の外側に配光して、リング放電を有効利用することができる。なお、本実施例においては、１つの外管２を２分することに代えて、２本の外管２を使用して、前記と同様の構成とすることができることは勿論である。また、本実施例において、各放電容器１−１〜１−６に巻回した励起コイルの給電配線としての導入線は、仕切板部９により形成される外管の境界部に適宜スペース〔図１１の（ｂ）参照〕を設けて、このスペースを利用して配線を行うように構成すれば好適である。
【００４３】
【実施例８】
図１２は、本発明に係る無電極放電灯装置および殺菌装置の第８の実施例の構成例を示す概略構成図である。図１２において、本実施例の無電極放電灯装置および殺菌装置は、外管２の長手方向に近接する複数の放電容器１−１、１−２間において、各放電容器間の光の強度が外管表面においてほぼ一定となるように、前記外管２の一部に凹部１２を設けた構成からなる。すなわち、外管２の表面でのＵＶ光の強度は、２つの放電容器１−１、１−２と外管２との距離が離れる程、減衰するため、放電容器１−１、１−２の中間付近でＵＶ光の強度は低下する。特に、外管２を殺菌対象の流体内にその流れと垂直になるよう配置し、放電容器から発するＵＶ光により、前記流体の殺菌をするように構成した殺菌装置においては、その中央付近を通過する流体の殺菌率は低下してしまうが、前記構成からなる本実施例によれば、前記放電容器間のＵＶ光の強度低下を有効に抑制することができる。
【００４４】
【実施例９】
図１３は、本発明に係る無電極放電灯装置および殺菌装置の第９の実施例の構成例を示す概略構成図である。図１３において、本実施例の無電極放電灯装置および殺菌装置は、前述した各実施例に記載の無電極放電灯装置を、殺菌処理槽１４における流体内に配置し、放電容器内の放電媒体が発する紫外線（ＵＶ）光により前記流体を殺菌する殺菌装置を構成したものである。特に、本実施例においては、前記殺菌処理槽１４内における流体に対し、その流量等の必要紫外線（ＵＶ）光を決定すべき要素を検出するための流量センサ１５等の検出センサを設け、この検出センサ１５からの検出信号に基づき、点灯制御装置１６を介して各放電容器の点灯・消灯制御を行う構成としたものである。このように構成することにより、必要最低限のＵＶ光の照射を行って、殺菌装置の省エネルギー化およびシステムの効率化を容易に達成することができる。
【００４５】
以上、本発明の好適な実施例について説明したが、本発明は前記各実施例に限定されることなく、本発明の精神を逸脱しない範囲内において多くの設計変更が可能である。
【００４６】
【発明の効果】
前述した実施例から明らかな通り、本発明に係る電極放電灯装置によれば、細長い外管と、前記外管内においてその長手方向に設けた複数の放電容器と、前記外管の長手方向を軸として前記各放電容器の回りに巻回された複数の励起コイルとを具備する構成としたことにより、励起コイルが巻回された無電極の放電容器を、細長い外管内に配置した構造において、リング放電を有効に利用することができると共に、設置場所に対する汎用性を向上させることができ、１つの放電容器および２つの励起コイル毎に高周波点灯回路を設けることにより、高周波点灯回路の設備コストを低減することができる。また、この場合にも、隣接する２つの放電容器の間から、アーク放電からの出力光を外側に放出することができる。
【００４７】
本発明装置によれば、外管内に複数の放電容器を設け、その回りにそれぞれ励起コイルを巻回し、さらに隣接する放電容器間には、それぞれ保持具を介して連結することにより、これら保持具によって前記放電容器間の出力光を外側に配光することができるとともに、複数の励起コイルの電気的干渉を阻止することができる。一方、前記各保持具を外管に連結した構成とすることも可能であり、この場合には保持具が位置ずれするのを防止して、放電容器および励起コイルの位置を安定化させることができる。そして、この場合、外管から保持具を介して放電容器に伝達される熱を利用して、放電容器内にランプ最冷部温度を確保することができる等の利点が得られる。
【００４９】
さらに、本発明装置によれば、外管をその長手方向中央部において２分し、前記２分された外管内に、その長手方向に沿ってそれぞれ複数の放電容器を交互に並列配置した構成とすることにより、外管全体でのＵＶ照射量の均一化を達成できると共に、流路に大して直角水平方向の配置ができ、余分な出力を必要とせず、効率的な利用が可能となる。また、長手方向に隣接する放電容器の間を保持具を介して連結すると共に、前記保持具により並列配置された放電容器の一方の放電容器側からの出力光を他方の放電容器側に行かないように遮蔽し、外管の外側に配光するよう構成することにより、放電容器内の光を外管の外側に配光して、リング放電を有効利用することができる。
【図面の簡単な説明】
【図１】本発明に係る無電極放電灯装置および殺菌装置の第１の実施例の構成例を示す概略構成図である。
【図２】図１に示す無電極放電灯装置および殺菌装置の第１の実施例の変形例を示す概略構成図である。
【図３】図２に示す無電極放電灯装置および殺菌装置の第１の実施例の変形例を示す概略構成図である。
【図４】図３に示す無電極放電灯装置および殺菌装置の第１の実施例のさらに変形例を示す概略構成図である。
【図５】本発明に係る無電極放電灯装置および殺菌装置の第２の実施例の構成例を示す概略構成図である。
【図６】図５に示す無電極放電灯装置の第２の実施例の変形例を示す概略構成図である。
【図７】本発明に係る無電極放電灯装置の第３の実施例の構成例を示す概略構成図である。
【図８】本発明に係る無電極放電灯装置および殺菌装置の第４の実施例の構成例を示す概略構成図である。
【図９】本発明に係る無電極放電灯装置および殺菌装置の第５の実施例の構成例を示す概略構成図である。
【図１０】本発明に係る無電極放電灯装置および殺菌装置の第６の実施例の構成例を示す概略構成図である。
【図１１】（ａ）は本発明に係る無電極放電灯装置および殺菌装置の第７の実施例の構成例を示す概略構成図、（ｂ）は（ａ）のＢ−Ｂ線概略断面図である。
【図１２】本発明に係る無電極放電灯装置および殺菌装置の第８の実施例の構成例を示す概略構成図である。
【図１３】本発明に係る無電極放電灯装置および殺菌装置の第９の実施例の構成例を示す概略構成図である。
【図１４】従来の無電極放電灯装置および殺菌装置の構成例を示す概略構成図である。
【符号の説明】
１−１〜１−４（１−５、１−６）  放電容器
２  外管
２Ａ、２Ｂ  ２分された外管
Ｌ−１〜Ｌ−４  励起コイル
３  導入線
４  保持具
５−１〜５−４  突起
６  反射笠
６ａ、６ｂ、６ｃ  反射面部
７  側面部
８  貫通孔（貫通孔部）
９  仕切板部
１０  反射板部
１２  凹部
１４  殺菌処理槽
１５  流量センサ（検出センサ）
１６  点灯制御装置
Ｒ  アーク放電（リング放電）
【図１】
0004498575.tif 000002
【図２】
0004498575.tif 000003
【図３】
0004498575.tif 000004
【図４】
0004498575.tif 000005
【図５】
0004498575.tif 000006
【図６】
0004498575.tif 000007
【図７】
0004498575.tif 000008
【図８】
0004498575.tif 000009
【図９】
0004498575.tif 000010
【図１０】
0004498575.tif 000011
【図１１】
0004498575.tif 000012
【図１２】
0004498575.tif 000013
【図１３】
0004498575.tif 000014
【図１４】
0004498575.tif 000015